(57)【要約】      （修正有）【課題】安価に容易に製造でき、設置が容易で、小動物や鳥類から農作物を有効に保護することができるとともに、成長状態や日当たりなどに応じて農作物の向きを変えることができる農作物保護具を提供する。【解決手段】半球状の網５の開口縁に円形の枠６を設けた第１のかご２と、第１のかごの網の開口縁に対向する半球状の網の開口縁に円形の枠を設けた第２のかご３と、第１と第２のかごの枠の間に介在し、枠を離間させる環状のスペーサ８とを備える。第１と第２のかごがスペーサを介して向い合せで開閉可能に連結されて内部に農作物を収容する空間が形成される。スペーサの周縁に凹部８Ｃが形成され、第１と第２のかごの枠と凹部との間に農作物の蔓が通る穴９が形成されている。第１と第２のかごの枠とスペーサの少なくともいずれか１つに吊下げ用の円環１０が設けられている。【選択図】図１
0003200174.tif 000002
【実用新案登録請求の範囲】
【請求項１】
半球状の網の開口縁に円形の枠を設けた第１のかごと、
前記第１のかごの網の開口縁に対向する半球状の網の開口縁に円形の枠を設けた第２のかごと、
前記第１のかごの枠と前記第２のかごの枠の間に介設し、前記第１のかごの枠と前記第２のかごの枠を離間させる環状のスペーサとを備え、
前記第１のかごと前記第２のかごが前記スペーサを介して向い合せで開閉可能に連結されて内部に農作物を収容する空間が形成され、
前記スペーサの周縁に少なくとも１つの凹部が形成され、前記第１のかごの枠と前記第２のかごの枠の少なくともいずれか一方と前記凹部との間に農作物の蔓が通る穴が形成され、
前記第１のかごの枠と前記第２のかごの枠と前記スペーサの少なくともいずれか１つに少なくとも１つの円環が設けられたことを特徴とする農作物保護具。
【請求項２】
前記スペーサは、前記第１のかごの枠に係合する第１係合部と、前記第２のかごの枠に係合する第２係合部とを有することを特徴とする請求項１に記載の農作物保護具。
【請求項３】
半球状の網の開口縁に円形の枠を設けた第１のかごと、
前記第１のかごの網の開口縁に対向する半球状の網の開口縁に円形の枠を設けた第２のかごと、
前記第１のかごの枠と前記第２のかごの枠の間に介設し、前記第１のかごの枠と前記第２のかごの枠を離間させる複数のスペーサとを備え、
前記第１のかごと前記第２のかごが前記複数のスペーサを介して向い合せで開閉可能に連結されて内部に農作物を収容する空間が形成され、
隣接する前記複数のスペーサの間であって前記第１のかごの枠と前記第２のかごの枠の間に農作物の蔓が通る隙間が設けられ、
前記第１のかごの枠と前記第２のかごの枠と前記複数のスペーサの少なくともいずれか１つに少なくとも１つの円環が設けられたことを特徴とする農作物保護具。
【請求項４】
前記複数のスペーサの各々は、前記第１のかごの枠に係合する第１係合部と、前記第２のかごの枠に係合する第２係合部とを有することを特徴とする請求項３に記載の農作物保護具。
【請求項５】
前記複数のスペーサの各々は、前記第１のかごの枠を挟持する挟持部と、前記第２のかごの枠に係合する係合部とを有することを特徴とする請求項３に記載の農作物保護具。
【請求項６】
請求項１に記載の農作物保護具に取り付けるスペーサであって、前記農作物保護具の第１のかごの枠に係合する第１係合部と、前記農作物保護具の第２のかごの枠に係合する第２係合部とを有することを特徴とするスペーサ。
【請求項７】
請求項３に記載の農作物保護具に取り付けるスペーサであって、前記農作物保護具の第１のかごの枠に係合する第１係合部と、前記農作物保護具の第２のかごの枠に係合する第２係合部とを有することを特徴とするスペーサ。
【請求項８】
前記スペーサの前記第１係合部と前記第２係合部の間に円環を設けたことを特徴とする請求項６に記載のスペーサ。
【請求項９】
前記スペーサの前記第１係合部と前記第２係合部の間に円環を設けたことを特徴とする請求項７に記載のスペーサ。
【考案の詳細な説明】
【技術分野】
【０００１】
本考案は、耕作地においてスイカ、メロン等の農作物がハクビシンやタヌキ、猪、アライグマ等の小動物、カラス等の鳥類により食い荒らされるのを防止する農作物保護具およびそれに取り付けるスペーサに関する。
【背景技術】
【０００２】
スイカ、メロン等の農作物は、食べごろにまで成長すると、そのタイミングを狙ってハクビシンやタヌキ、猪、アライグマ等の小動物、カラス等の鳥類により穴をあけられて食べられる被害が発生する。
つ
【０００３】
このように農作物が鳥獣により食い荒らされるのを防止するため、従来、耕作地の周囲に防護ネットを張り巡らしたり、電気柵を設けて小動物の進入を防止することが行われているが、人の出入りが不便であり、空からの鳥類の進入に対しては有効ではない。
【０００４】
また、騒音等による撃退装置を設置することが提案されているが、コストがかかるうえ、作動時には周囲の人に迷惑がかかる。
【０００５】
さらに、個々の農作物を個別に保護するために、農作物に被せて覆う枠（特許文献１）や、かごに棘を放射状に取り付けた防護かご（特許文献２）、農作物を収容する上下の籠からなる鳥獣害防止用籠（特許文献３）が提案されているが、成長状態や日当たりに応じて農作物の向きを変える際には、枠やかごを除去しなければならないという問題がある。
【０００６】
本出願人は、これらの問題を解消するために、半球状の第１のかごと第２のかごを向い合せて形成される内部空間に農作物を収容し、向きを変えたり、吊り下げ可能にした農作物保護具を既に提案しているが（特許文献４）、さらに安価に容易に製造できる農作物保護具を開発する要請があった。
【先行技術文献】
【特許文献】
【０００７】
【特許文献１】実開昭５０−１４４３号公報
【特許文献２】実開平６−２６４４６号公報
【特許文献３】実用新案登録第３１５５５５４号
【特許文献４】実用新案登録第３１９７４６２号
【考案の概要】
【考案が解決しようとする課題】
【０００８】
本考案は、このような従来の問題に鑑みてなされたもので、安価に容易に製造でき、設置が容易で、小動物や鳥類から農作物を有効に保護することができるとともに、成長状態や日当たりなどに応じて農作物の向きを変えることができる農作物保護具およびそれに取り付けるスペーサを提供することを課題とする。
【課題を解決するための手段】
【０００９】
本考案に係る農作物保護具は、前記課題を解決するための第１の手段として、半球状の網の開口縁に円形の枠を設けた第１のかごと、前記第１のかごの網の開口縁に対向する半球状の網の開口縁に円形の枠を設けた第２のかごと、前記第１のかごの枠と前記第２のかごの枠の間に介設し、前記第１のかごの枠と前記第２のかごの枠を離間させる環状のスペーサとを備え、前記第１のかごと前記第２のかごが前記スペーサを介して向い合せで開閉可能に連結されて内部に農作物を収容する空間が形成され、前記スペーサの周縁に少なくとも１つの凹部が形成され、前記第１のかごの枠と前記第２のかごの枠の少なくともいずれか一方と前記凹部との間に農作物の蔓が通る穴が形成され、前記第１のかごの枠と前記第２のかごの枠と前記スペーサの少なくともいずれか１つに少なくとも１つの円環が設けられたものである。
【００１０】
第１の手段による農作物保護具は、環状のスペーサに凹部を形成し、当該スペーサを第１のかごと第２のかごの間に介設するだけで、農作物の蔦が通る孔が形成される。この農作物保護具を使用するには、耕作地で成長するスイカなどの農作物を開いた状態の第１のかご又は第２のかごのいずれかのかごに収容し、蔓をスペーサの凹部に導いてから他方のかごを閉じる。適当な杭を円環に通して耕作地に突き刺すことで、第１のかごと第２のかごが鳥獣による開かれるのを防止できる。また、円環にフックを掛けたり紐を通して、耕作地に適宜設けた竿に吊るすことにより、地上からの獣の接近を防止できる。網からなる第１のかごと第２のかご収容された農作物は、日光の入射を受けるので成長が妨げられることはないし、小動物や鳥類に食われるのを有効に保護することができる。また、第１のかごと第２のかごを閉じた状態では球形になるので、また農作物を吊るした状態でも回転させたり傾けることができるので、成長状態や日当たりなどに応じて農作物の向きを容易に変えることができる。
【００１１】
前記スペーサは、前記第１のかごの枠に係合する第１係合部と、前記第２のかごの枠に係合する第２係合部とを有することが好ましい。
【００１２】
前記課題を解決するための第２の手段として、本考案に係る農作物保護具は、半球状の網の開口縁に円形の枠を設けた第１のかごと、前記第１のかごの網の開口縁に対向する半球状の網の開口縁に円形の枠を設けた第２のかごと、前記第１のかごの枠と前記第２のかごの枠の間に介設し、前記第１のかごの枠と前記第２のかごの枠を離間させる複数のスペーサとを備え、前記第１のかごと前記第２のかごが前記複数のスペーサを介して向い合せで開閉可能に連結されて内部に農作物を収容する空間が形成され、隣接する前記複数のスペーサの間であって前記第１のかごの枠と前記第２のかごの枠の間に農作物の蔓が通る隙間が設けられ、前記第１のかごの枠と前記第２のかごの枠と前記複数のスペーサの少なくともいずれか１つに少なくとも１つの円環が設けられたものである。
【００１３】
第２の手段による農作物保護具は、複数のスペーサを第１のかごの枠と第２のかごの枠間に介設するだけで、第１のかごの枠と第２のかごの枠の間に農作物の蔦が通る隙間が形成される。この農作物保護の使用方法は第１の手段による農作物保護具と同様である。
【００１４】
前記複数のスペーサの各々は、前記第１のかごの枠に係合する第１係合部と、前記第２のかごの枠に係合する第２係合部とを有することが好ましい。
【００１５】
前記複数のスペーサの各々は、軸部と、前記軸部から該軸に直角方向に延設されて前記第１のかごの枠を挟持する１対の挟持部と、前記軸部から前記１対の挟持部と反対方向に延設されて前記第２のかごの枠に係合する１対の係合部とを有することが好ましい。
【００１６】
前記課題を解決するための第３、第４の手段として、本考案に係るスペーサは、前記第１、第２の手段の農作物保護具に取り付けるスペーサであって、前記農作物保護具の第１のかごの枠に係合する第１係合部と、前記農作物保護具の第２のかごの枠に係合する第２係合部とを有する。前記スペーサの前記第１係合部と前記第２係合部の間に円環を設けることが好ましい。
【考案の効果】
【００１７】
第１の考案によれば、周縁に凹部を形成した環状のスペーサを第１のかごの枠と第２のかごの枠の間に介設するだけで農作物の蔦が通る孔を形成することができ、第２の考案によれば、複数のスペーサを第１のかごの枠と第２のかごの枠の間に介設するだけで農作物の蔦が通る隙間を形成することができるので、いずれの考案も、安価に容易に製造することができるうえ、設置が簡単であり、農作物の成長を妨げることなく、小動物や鳥類から農作物を有効に保護することができる。また、半球状の第１のかごと第２のかごを連結した状態では球となるので、成長状態や日当たりなどに応じて農作物の向きを容易に変えることができる。
【００１８】
第３、第４の考案によれば、スペーサを既存の第１のかごの枠と第２のかごの枠に簡単に取り付けることができ、農作物保護具とすることができる。
【図面の簡単な説明】
【００１９】
【図１】本考案の第１実施形態に係る農作物保護具を開いた状態を示す斜視図（Ａ）及び閉じた状態を示す正面図（Ｂ）。
【図２】図１の農作物保護具の枠と網の取付け状態を示し、（Ａ）はワイヤからなる枠と網の取付け状態、（Ｂ）は帯板からなる枠と網の取付け状態を示す断面図。
【図３】図１の農作物保護具のスペーサの拡大斜視図（Ａ）およびスペーサの取付け状態を示す断面図（Ｂ）。
【図４】図１の農作物保護具の円環を示し、（Ａ）はワイヤからなる枠の円環、（Ｂ）は帯板からなる枠の円環を示す拡大図。
【図５】図１の農作物保護具に農作物を収納する状態を示す斜視図。
【図６】図１の農作物保護を耕作地に設置した状態を示す斜視図。
【図７】図１の農作物保護を耕作地の地上に吊るした状態を示す斜視図。
【図８】本考案の第２実施形態に係る農作物保護具を開いた状態を示す斜視図（Ａ）及び閉じた状態を示す正面図（Ｂ）。
【図９】図８の農作物保護具のスペーサの拡大斜視図（Ａ）およびスペーサの取付け状態を示す断面図（Ｂ）。
【図１０】図８の農作物保護具のスペーサの２つの代案のスペーサの正面図（Ａ，Ｂ）、及びスペーサの取付け状態を示す断面図（Ｃ）。
【図１１】図９（Ａ）のスペーサの変形例を示す斜視図。
【考案を実施するための形態】
【００２０】
以下、本考案の実施の形態を添付図面に従って説明する。
＜第１実施形態＞
図１（Ａ），（Ｂ）は、本考案の第１実施形態に係る農作物保護具１を示す。農作物保護具１は、第１のかご２と第２のかご３を連結ひも４で連結し、第１のかご２と第２のかご３の間に環状のスペーサ８を介設して構成されている。
【００２１】
第１のかご２は、半球状の網５の開口縁に円形の枠６を設けたものである。網５はステンレス鋼などの金属製が好ましいが、鳥獣に破られない程度の強度があればプラスチック、竹なども使用可能である。網５の形状は完全な半球に限らず、お椀形や半割卵形でもよい。網５は、平織で、２〜５メッシュ、開き目は鳥獣の嘴や歯が進入しない程度で、３〜５ｍｍが好ましい。網５の線径は、０．５〜１．５ｍｍ、空間率は、５０％以上が好ましい。
【００２２】
枠６は、金属製のワイヤを円形の曲げたものを図２（Ａ）に示すように網５に溶接で固定してもよいし、帯板を円形に加工したものを使用し、図２（ｂ）に示すように網５の開口縁にカシメて固定するものでもよい。また、網５を補強するために、図１に示すように、ワイヤからなる補強材７を網の表面に沿って放射状に配設し、補強材７の両端を枠６に固定してもよい。
【００２３】
第２のかご３は、第１のかご２と対向する形状であり、第１のかご２と同様の構造であるので、その構造の詳細については、対応する部分に同一符号を附して説明を省略する。
【００２４】
連結ひも４は、第１のかご２の枠６の一部と第２のかご３の枠６の一部を連結し、第１のかご２の枠６と第２のかご３の枠６を向い合せで開閉可能にして、内部に農作物を収容する空間を形成するように構成されている。連結紐４の長さは、第１のかごと第２のかごをスペーサ８を介して閉じたときに緩まない程度にする。連結ひも４の材料としては、合成樹脂製の紐、コードなどのほか、金属製の鎖などを使用することができる。
【００２５】
スペーサ８は、図３（Ａ）に示すように、所定の幅の帯状の板を環状に巻いて両端をリベット、はんだ付け、溶接等の適宜手段で接合したもので、第１のかご２と第２のかご３をスペーサ８を介して閉じたときに第１のかご２の枠６と第２のかご３の枠６を離間させるものである。スペーサ８の一端（図３（Ｂ）において下端）は、第１かご２の枠６に係合する第１係合部８ａとなっている。スペーサ８の他端（図３（Ｂ）において上端）には、第１のかご２の枠６に係合するＬ字形の第２係合部８ｂがスペーサ８の周縁の一部を外側に切り起こすことによって形成されている。第１係合部８ａは、スペーサ８の周縁自体が図３（Ｂ）に示すように第１のかご２の枠６の内側の段部６ａに係合するようになっている。この場合、第１係合部８ａは、枠６にリベット、半だ付け、ねじ、溶接等の適宜手段によって接合することが好ましい。また、第１係合部８ａは、第２係合部８ｂと同様に、第１のかご２の枠６に係合するようにスペーサ８の周縁の一部を外側に逆Ｌ字形に切り起こすことによって形成してもよい。
【００２６】
スペーサ８の図３（Ａ）において上端の周縁には、少なくとも１つ（図では４か所）の凹部８ｃが形成され、図１（Ｂ）に示すように、第２のかご３の枠６とこの凹部８ｃとの間に農作物の蔓が通る穴９を形成するようになっている。すなわち、凹部８ｃは、第１のかご２と第２のかご３をスペーサ８を介して閉じたときに、スペーサ８により離間した第１のかご２の枠６と第２のかご３の枠６の間に、孔９が露出するように、凹部８ｃの大きさが決められている。凹部８ｃの大きさは、農作物の蔓が通るように、１０〜１５ｍｍが好ましい。スペーサ８の素材としては、ステンレス鋼等の金属製の平板、波板、パンチングメタルなどを使用することができる。
【００２７】
第１のかご２の枠６と第２のかご３の枠６には、連結ひも４と反対側、すなわち、連結ひも４から１８０度離れた位置に、円環１０が設けられている。円環１０は、連結ひも４にも取り付けられている。円環１０の大きさは、杭やフック、紐を通すことができるように、１５〜２０ｍｍが好ましい。円環１０は、図１に示すようにワイヤを曲げて枠６に取り付け可能な引掛け部を有するリング形状や、ワイヤをリング状に曲げて両端を枠６にはんだ付けや溶接等で接合したものが好ましいが、図４（Ａ）に示すように、枠６がワイヤの場合、ワイヤの一部を捩じって形成することができ、また、図４（Ｂ）に示すように、枠６が帯板の場合には、帯板の一部を切り起こして形成した突片１１に孔１２をあけて形成することもできる。
【００２８】
本考案の農作物保護具１は、スイカ、メロンなどの農作物の耕作地において使用する。農作物は食べ頃や収穫時期になると鳥獣に食い荒らされるため、成長具合を見て本考案の農作物保護具１で保護する。
【００２９】
まず、図５に示すように、農作物保護具１を開いて、第１のかご２又は第２のかご３のいずれかのかごに農作物を収容し、蔓をスペーサ８の凹部８ｃに導いてから他方のかごを閉じる。凹部８ｃが複数ある場合は、蔓を通し易い位置にある凹部８ｃを使用すればよい。続いて、図６に示すように、適当な杭１３を第１のかご２の円環１０と第２のかご３の円環１０に通して耕作地に突き刺しておく。これにより、第１のかご２と第２のかご３が鳥獣により開かれるのを防止できる。
【００３０】
本考案の農作物保護具１は、第１のかご２と第２のかご３が網５からなり、内部に日光が入射するので、第１のかご２と第２のかご３に収容された農作物は成長が妨げられることはない。農作物は食い破られない程度の強度の網５で覆われているので、小動物や鳥類に食われるのを有効に保護することができる。また、農作物保護具１は、第１のかご２と第２のかご３を閉じた状態では球形になるので、転がしたり置き換えることで、成長状態や日当たりなどに応じて農作物の向きを容易に変えることができる。
【００３１】
農作物を吊るして栽培する場合でも、図７に示すように、本考案の農作物保護具１を利用することができる。耕作地には、脚１４に竿１５を架け渡して適宜柱１６を立てておく。蔓が柱１６に絡んで成長し、実が適当な大きさになると、図５と同様に、農作物保護具１を開いて、第１のかご２又は第２のかご３のいずれかのかごに農作物を収容し、蔓を凹部８に導いてから他方のかごを閉じ、円環１０にフック１７や紐１８などの吊下げ手段を取り付けて高所の竿１５に吊るす。この状態では、地上から獣が農作物に接近するのを防止できるし、農作物が網５で覆われているので、空からの鳥類の攻撃に対しても保護することができる。また、農作物を吊った状態で円環１０の周りに回転させることで、成長状態や日当たりなどに応じて向きを変えることができる。
【００３２】
さらに、複数の円環１０を利用して農作物を複数個所で吊った状態で傾けることもできる。すなわち、連結ひも４と１８０度離れた位置で第１のかご２の枠６と第２のかご３の枠６の両方に円環１０（第１の円環）を設けるとともに、連結ひも４にも円環１０（第２の円環）を取り付ける。この第１と第２の円環１０にフック１７や紐１８などの吊下げ手段を取り付け、農作物保護具１を高所の竿１５に吊るすことで、成長状態や日当たりなどに応じて回転させたり、第１と第２の円環１０の吊下げ高さを調整して傾きを変えることで、農作物の向きを容易に変えることができる。
【００３３】
＜第２実施形態＞
図８（Ａ），（Ｂ）は本考案の第２実施形態に係る農作物保護具１´を示す。農作物保護具１´は、第１実施形態の農作物保護具１の環状のスペーサ８の代わりに、複数のスペーサ２０を設けた以外は、第１実施形態の農作物保護具１と同一であり、対応する部分には同一符号を附して説明を省略する。
【００３４】
スペーサ２０は、図９（Ａ）に示すように、ステンレス鋼などの金属板を折り曲げて形成したもので、矩形の基部２１と、該基部２１の下端から１８０°折曲して上方に延び、基部２１の中間部分で下方に湾曲して下方に延びる第１係合部２２と、基部２１の上端から第１係合部２２と同じ側に９０°折曲して水平に延びさらに９０°折曲して上方に延びる第２係合部２３と、該第２係合部２３の上端から１８０°湾曲して下方に第１係合部２２の下方まで延びるカバー部２４とから構成されている。第１係合部２２の湾曲部２２ａと、第２係合部２３の段部２３ａとの間隔Ａは、第１のかご２の枠６と第２のかご３の枠６の間に形成しようとする隙間２５と同じである。間隔Ａの大きさは、７〜１０ｍｍが好ましい。
【００３５】
４つのスペーサ２０は、図９（Ｂ）に示すように、カバー部２４が第１のかご２の内側になるように第１係合部２２を第１のかご２の枠６に係合して、図８（Ａ）に示すように等間隔になるように取り付ける。なお、カバー部２４は、第１のかご２の外側になるようしてもよい。この状態で、スペーサ２０を第１のかご２の枠６にはんだ付けや溶接などの適宜手段で接合しておいてもよい。次に、第１のかご２の中に農作物を収容し、蔦を隣接するスペーサ２０の間に導いてから、図９（Ｂ）に示すように、第２のかご３を閉じて第２のかご３の枠６を第２係合部２３に係合し、枠６が段部２３ａに当たるまで押し付ける。これにより、図８（Ｂ）に示すように、第１のかご２の枠６と第２のかご３の枠６の間に農作物の蔦が通る隙間２５が形成される。この隙間２５は隣接するスペーサ２０間に広がっているので、農作物の蔦はその範囲内で移動できるので、蔦が曲がったり折れたる、傷ついたりすることがない。
【００３６】
第２実施形態では、金属板を折り曲げて形成したスペーサ２０の代わりに、図１０（Ａ），（Ｂ）に示すように、洗濯バサミ状又はクリップ状のスペーサ３０，４０を用いてもよい。
【００３７】
すなわち、図１０（Ａ）に示すスペーサ３０は、一端に挟み口３１、他端に押さえ部３２、中間に支持部３３を有する１対の挟み部材３４の支持部３３に軸３５を挿通して互いに連結し、当該軸３５に捩じりばね３６を装着して挟み口３１が閉じる方向に付勢したものである。このスペーサ３０は、１対の挟み口３１と支持部３３が第１のかご２の枠６を挟持する挟持部３７を形成し、１対の押さえ部３２と支持部３３が第２のかご３の枠６に係合する係合部３８となっている。支持部３３の図中上下方向の寸法Ａは、第１のかご２の枠６と第２のかご３の枠６の間に形成しようとする隙間２５と同じである。
【００３８】
図１０（Ｂ）に示すスペーサ４０は、１本のワイヤを折り曲げることによりに挟み口４１、押さえ部４２及びばね部４３を形成し、ばね部４３が軸となるように形成したもので、１対の挟み口４１とばね部４３が第１のかご２の枠６を挟持する挟持部４４を形成し、１対の押さえ部４２とばね部４３が第２のかご３の枠６に係合する係合部４５となっている。ばね部４３の上下方向の寸法Ａは、第１のかご２の枠６と第２のかご３の枠６の間に形成しようとする隙間２５と同じである。
【００３９】
スペーサ３０，４０は、いずれも使用方法は同じであるが、スペーサ４０について説明すると、図１０（ｃ）に示すように、挟持部４４を第１のかご２の枠６に向けた状態で係合部４５を第２のかご３の枠６に係合し、係合部４５のばね部４３と第２のかご３の枠６をはんだ付け、溶接などの適宜手段で接合する。このとき、係合部４５の内側の押さえ部４２は網５を内側から外側に貫通させて、外側から操作できるようにしておく。次に、第１のかご２の中に農作物を収容し、農作物の蔦が離接するスペーサ４０の間になるように導いて、スペーサ４０を取り付けた第２のかご３を閉じる。このとき、スペーサ４０の押さえ部３２を押さえて挟持部４４を開く、第１のかご２の枠６を挟んでばね部４３が第１のかご２の枠６に当たるまで押し付ける。これにより、図８（Ｂ）に示すように、第１のかご２の枠６と第２のかご３の枠６の間に農作物の蔦が通る隙間２５が形成される。この隙間２５は隣接するスペーサ４０間に広がっているので、農作物の蔦はその範囲内で移動できるので、蔦が曲がったり折れたる、傷ついたりすることがない。
【００４０】
本考案は、以上の実施例に限られるものではなく、適宜変更可能である。例えば、第１のかご２と第２のかご３を連結する連結手段としては、連結ひも４に限らず、第１のかご２の枠６または第２のかご３の枠６とスペーサ８とに嵌め込み構造やねじ構造を設けて、第１のかご２又は第２のかご３とスペーサ８を嵌合させたり、捩じって係合することにより連結することができる。
【００４１】
また、図９（Ａ）のスペーサ２０は、第１係合部２２と第２係合部２３が異なる形状であるが、図１１に示すスペーサ２０´のように、第２係合部２３を第１係合部２２と対称な形状にしてもよい。また、スペーサ２０´の基部２１に円環１０を取り付けることで、第１かご２や第２かご３に円環を取り付ける手間が省ける。同様に、図３（Ａ）に示すスペーサ８の外周面に１又は複数の円環１０を取り付けてもよい。
【産業上の利用可能性】
【００４２】
本考案の農作物保護具１は、耕作地でスイカやメロンを鳥獣に食い荒らされるのを保護するだけでなく、収穫したたまねぎや、じゃがいもなどの農作物を収容して倉庫に保管したり、軒下に吊り下げて保存するのにも利用することができる。
【符号の説明】
【００４３】
１，１´  農作物保護具
２  第１のかご
３  第２のかご
４  連結ひも
５  網
６  枠
８  スペーサ
８ａ  第１係合部
８ｂ  第２係合部
８ｃ  凹部
９  穴
１０  円環
２０，２０´  スペーサ
２２  第１係合部
２３  第２係合部
２５  隙間
３０  スペーサ
３７  挟持部
３８  係合部
４０  スペーサ
４４  挟持部
４５  係合部
【図１】
0003200174.tif 000003
【図２】
0003200174.tif 000004
【図３】
0003200174.tif 000005
【図４】
0003200174.tif 000006
【図５】
0003200174.tif 000007
【図６】
0003200174.tif 000008
【図７】
0003200174.tif 000009
【図８】
0003200174.tif 000010
【図９】
0003200174.tif 000011
【図１０】
0003200174.tif 000012
【図１１】
0003200174.tif 000013